(57)【要約】  記録媒体上のデータ構造は、データブロックを格納する仮欠陥管理領域を含む。このデータブロックは、仮定義構造を含む。この仮定義構造は、記録媒体の記録モードを示す。
2007528563.tif 000002
【特許請求の範囲】
【請求項１】
記録媒体のデータ領域を管理するためのデータ構造を有する追記型記録媒体であって、
記録媒体の記録モードを示す仮定義構造を含むデータブロックを格納する仮欠陥管理領域を備えたことを特徴とする記録媒体。
【請求項２】
前記データブロックは、記録媒体のデータ領域の使用状態情報を含み、前記使用状態情報は、データを格納するデータ領域の使用に関する情報を提供することを特徴とする請求項１に記載の記録媒体。
【請求項３】
前記記録モードは、順次記録とランダム記録のいずれかであることを特徴とする請求項１に記載の記録媒体。
【請求項４】
前記記録モードは、順次記録であり、前記データブロックは、記録媒体のデータ領域中の連続する記録領域に関する情報を提供する順次記録情報を含むことを特徴とする請求項３に記載の記録媒体。
【請求項５】
前記順次記録情報は、ヘッダ、各連続記録領域の情報エントリーおよびターミネーターを含み、前記ヘッダは、順次記録情報として順次記録情報を識別し、各情報エントリーは、関連付けられた連続記録領域に関する情報を提供し、ターミネーターは、順次記録情報の終りを示すことを特徴とする請求項４に記載の記録媒体。
【請求項６】
前記ヘッダは、連続記録領域の数を示すことを特徴とする請求項５に記載の記録媒体。
【請求項７】
前記ヘッダは、記録のためにオープンされている連続記録領域の数を示すことを特徴とする請求項６に記載の記録媒体。
【請求項８】
前記ヘッダ情報は、記録のためにオープンされている連続記録領域の数を示すことを特徴とする請求項５に記載の記録媒体。
【請求項９】
各情報エントリーは、関連付けられた連続記録領域が連続記録領域群のうちの第一の連続記録領域であるかを示すことを特徴とする請求項５に記載の記録媒体。
【請求項１０】
各情報エントリーは、関連付けられた連続記録領域が記録のためにオープンされているかを示すことを特徴とする請求項５に記載の記録媒体。
【請求項１１】
各情報エントリーは、関連付けられた連続記録領域の開始物理セクタ番号を示すことを特徴とする請求項５に記載の記録媒体。
【請求項１２】
各情報エントリーは、関連付けられた連続記録領域の最後の記録アドレスを示すことを特徴とする請求項５に記載の記録媒体。
【請求項１３】
各情報エントリーは、関連付けられた連続記録領域の状態情報を示し、関連付けられた連続記録領域の開始物理セクタ番号を示し、関連付けられた連続記録領域の最後の記録アドレスを示すことを特徴とする請求項５に記載の記録媒体。
【請求項１４】
前記状態は、関連付けられた連続記録領域が連続記録領域群のうちの開始であるかを示すことを特徴とする請求項１３に記載の記録媒体。
【請求項１５】
前記記録モードは、ランダム記録であり、前記データブロックは、記録媒体のデータ領域の記録状態を示すスペースビットマップ（ＳＢＭ）を含むことを特徴とする請求項３に記載の記録媒体。
【請求項１６】
前記スペースビットマップは、スペースビットマップデータ、スペースビットマップデータを指すデータポインタおよびスペースビットマップデータの長さを示す長さインジケータを含むことを特徴とする請求項１５に記載の記録媒体。
【請求項１７】
前記データポインタは、スペースビットマップデータの第一の物理セクタ番号を示すことを特徴とする請求項１６に記載の記録媒体。
【請求項１８】
前記スペースビットマップデータは、データ領域の各記録単位に関連付けられたインジケータを含み、前記状態インジケータは、データが前記関連付けられた記録単位で記録されるかを示すことを特徴とする請求項１６に記載の記録媒体。
【請求項１９】
前記記録単位は、クラスタであることを特徴とする請求項１８に記載の記録媒体。
【請求項２０】
前記スペースビットマップは、スペースビットマップのフォーマットを示すフォーマットインジケータをさらに含むことを特徴とする請求項１６に記載の記録媒体。
【請求項２１】
前記記録媒体は、二レイヤ光ディスクであり、
前記スペースビットマップは、スペースビットマップが対応するレイヤを示すレイヤインジケータをさらに含むことを特徴とする請求項１６に記載の記録媒体。
【請求項２２】
追記型記録媒体をフォーマットする方法であって、
記録媒体の所望の記録モードに関連する入力を受信するステップと、
前記所望の記録モードのインジケータを前記記録媒体の仮欠陥管理領域中の仮定義構造内に記録するステップと、
を備えることを特徴とする方法。
【請求項２３】
前記所望の記録モードは、順次記録モードおよびランダム記録モードのいずれかであることを特徴とする請求項２２に記載の方法。
【請求項２４】
前記記録されたモードインジケータが順次記録モードを示すとき、記録媒体のデータ領域中の連続記録領域に関する情報を提供する順次記録情報を仮欠陥管理領域に記録するステップを備えることを特徴とする請求項２３に記載の方法。
【請求項２５】
前記記録されたモードインジケータがランダム記録モードを示すとき、記録媒体のデータ領域の記録状態に関する情報を提供するスペースビットマップ（ＳＢＭ）を仮欠陥管理領域に記録するステップをさらに備えることを特徴とする請求項２３に記載の方法。
【請求項２６】
追記型記録媒体上に管理情報を記録する方法であって、
前記記録媒体の仮欠陥管理領域の仮定義構造からの記録モードインジケータを再生するステップと、
前記記録モードインジケータに基づいて記録媒体の記録モードを判断するステップと、
前記判断するステップに基づいて、データを格納する記録媒体のデータ領域の使用に関する情報を提供する記録媒体の使用状態情報を仮欠陥管理領域に記録するステップと、
を備えることを特徴とする管理情報の記録方法。
【請求項２７】
前記使用状態情報は、前記判断するステップで再生された記録モードインジケータが順次記録モードを示すと判断するとき、記録媒体のデータ領域の連続記録領域に関する情報を提供する順次記録情報であることを特徴とする請求項２６に記載の方法。
【請求項２８】
前記使用状態情報は、前記判断するステップで再生された記録モードインジケータがランダム記録モードを示すと判断するとき、前記データ領域の記録状態に関する情報を提供するスペースビットマップであることを特徴とする請求項２６に記載の方法。
【請求項２９】
追記型記録媒体上に管理情報を記録する方法であって、
イベントが発生するとき、データを格納する記録媒体のデータ領域の使用に関する情報を提供する使用状態情報について、更新された使用状態情報を記録媒体の仮欠陥管理領域に記録することによって使用状態情報を更新するステップを備えることを特徴とする方法。
【請求項３０】
記録媒体の記録モードを示す記録モード情報を仮欠陥管理領域から再生するステップをさらに含み、
前記更新するステップは、前記記録モードインジケータによって示された記録モードに関連付けられたフォーマットに従って使用状態情報を更新することを特徴とする請求項２９に記載の方法。
【請求項３１】
前記イベントは、データ領域中の新しい記録領域の作成であることを特徴とする請求項２９に記載の方法。
【請求項３２】
前記イベントは、データ領域中の記録領域が記録完了領域に変更されたことであることを特徴とする請求項２９に記載の管理情報の記録方法。
【請求項３３】
前記イベントは、記録媒体が記録媒体ドライブから取り出されるか、記録媒体を駆動する記録媒体ドライブのパワーをオフすることであることを特徴とする請求項２９に記載の方法。
【請求項３４】
前記使用状態情報は、記録媒体のデータ領域中の連続記録領域に関する情報を提供する順次記録、または前記データ領域の記録状態に関する情報を提供するスペースビットマップであることを特徴とする請求項２９に記載の方法。
【請求項３５】
記録媒体のデータ領域を管理するためのデータ構造を有する追記型記録媒体であって、
仮欠陥管理領域は、複数の異なるサイズの欠陥リストを格納し、各欠陥リストは、欠陥リストが記録された時点での記録媒体の記録レイヤのデータ領域中の欠陥を示し、仮欠陥管理領域は、複数の固定サイズの仮定義構造を格納し、各仮定義構造は、仮定義構造が記録された時点の記録媒体の１つのレイヤのデータ領域に関する使用状態情報を提供することを特徴とする追記型記録媒体。
【請求項３６】
追記型記録媒体上に管理情報を記録する方法であって、
少なくとも一つの欠陥リストを仮欠陥管理領域に記録し、前記欠陥リストは、前記記録媒体の記録レイヤのデータ領域に欠陥をリストし、前記記録された欠陥リストは、記録された欠陥リストと以前に記録された欠陥リストとが異なるサイズを有するように以前に記録された欠陥リストに比して新しい欠陥を含み、
少なくとも一つの仮定義構造を仮欠陥管理領域内に記録し、前記仮定義構造は、仮定義構造が記録された時点での前記記録媒体の１つのレイヤのデータ領域に関する使用状態情報を提供し、前記記録された仮定義構造は、以前に記録された仮定義構造と同程度の記録媒体上のスペースを消費することを特徴とする方法。
【請求項３７】
記録媒体の各記録レイヤに関連付けられた少なくとも一つの仮定義構造が格納された仮欠陥管理領域を有するライトワンス記録媒体上に管理情報を記録する方法であって、各定義構造はデータを格納する前記関連付けられた記録レイヤ中のデータ領域の使用に関する使用状態情報を提供する使用状態情報を含み、
各記録レイヤと関連付けられた最新の仮定義構造を記録媒体の欠陥管理領域に記録するステップを備えることを特徴とする方法。
【請求項３８】
前記記録するステップは、各記録レイヤと関連付けられた最新の仮定義構造を欠陥管理領域に１回以上記録することを特徴とする請求項３７に記載の方法。
【請求項３９】
前記記録媒体は、第一及び第二の記録レイヤを含み、
前記記録するステップは、第一の記録レイヤに関連付けられた最新の仮定義構造、第二の記録レイヤに関連付けられた最新の仮定義構造、第二の記録レイヤに関連付けられた最新の仮定義構造、及び第一の記録レイヤに関連付けられた最新の仮定義構造を順次的に記録することを特徴とする請求項３７に記載の管理情報の記録方法。
【請求項４０】
追記型記録媒体上に管理データを記録する方法であって、
仮欠陥管理領域にデータブロックを記録し、前記データブロックは、仮定義構造を含み、前記仮定義構造は、記録媒体の記録モードを示すことを特徴とする方法。
【請求項４１】
追記型記録媒体からデータを再生する方法であって、
仮欠陥管理領域に記録されたデータブロックに基づいて記録媒体上に記録されたデータの一部を再生し、前記データブロックは、仮定義構造を含み、前記仮定義構造は、記録媒体の記録モードを示すことを特徴とする方法。
【請求項４２】
追記型記録媒体上に管理データを記録する装置であって、
記録媒体上にデータを記録する光記録デバイスを駆動するドライブと、
前記ドライブを制御して仮欠陥管理領域に記録媒体の記録モードを示す仮定義構造を含むデータブロックを記録するコントローラーと、
を備えたことを特徴とする装置。
【発明の詳細な説明】
【技術分野】
【０００１】
本発明は、記録媒体の少なくともデータ領域を管理するためのデータ構造を有する記録媒体、並びに記録再生のための方法及び装置に関する。
【背景技術】
【０００２】
大量のデータの記録が可能な新しい高密度の再生専用及び書き換え可能な光ディスクの規格化が急速に進んでおり、新しい高密度光ディスクに関連する製品が近々商業的に利用可能になると見込まれている。例えば、次世代ＨＤ−ＤＶＤ技術に属するブルーレイディスク（ＢＤ）は、現存するＤＶＤの記録容量を遥かに超える次世代光記録ソリューションである。
【０００３】
ブルーレイディスクの書き込み及び読み出しには、現在のＤＶＤに使用される６５０ｎｍの波長を有する赤色レーザーに比べて遥かに高密度である４０５ｎｍの波長を有する青紫色レーザーを使用し、そのため、現在のＤＶＤに比べて遥かに大量のデータをＢＤ上に格納することができる。
【発明の開示】
【発明が解決しようとする課題】
【０００４】
書き換え可能なブルーレイディスク（ＢＤ−ＲＥ）などのＢＤ（Ｂｌｕ−ｒａｙ  Ｄｉｓｃ）に関連する少なくとも１つの規格が開発されており、また追記型（ｗｒｉｔｅ−ｏｎｃｅ）のブルーレイディスク（ＢＤ−ＷＯ）などの他の規格はまだ開発中である。ＢＤ−ＲＥなどの規格は、記録媒体のデータ領域の欠陥を管理するデータ構造を提供する。しかし、ＢＤ−ＷＯは、記録の１回性という特性のため、ＢＤ−ＲＥのような現在のＢＤの規格では直面しない課題を呈し、欠陥を管理するための効率的なデータ構造及び方法はＢＤ−ＷＯの規格についてはまだ開発中である。
【課題を解決するための手段】
【０００５】
本発明による記録媒体は、記録媒体の少なくとも１つのデータ領域を管理するデータ構造を含む。
【０００６】
一実施例において、記録媒体の仮欠陥管理領域（ｔｅｍｐｏｒａｒｙ  ｄｅｆｅｃｔ  ｍａｎａｇｅｍｅｎｔ  ａｒｅａ）がデータを格納する。このデータブロックは、仮定義構造（ｔｅｍｐｏｒａｒｙ  ｄｅｆｉｎｉｔｉｏｎ  ｓｔｒｕｃｕｔｒｅ）を含み、仮定義構造は記録媒体の記録モードを示す。例えば、記録モードは、順次記録（ｓｅｑｕｅｎｔｉａｌ  ｒｅｃｏｒｄｉｎｇ）およびランダム記録（ｒａｎｄｏｍ  ｒｅｃｏｒｄｉｎｇ）のうちの１つとすることができる。
【０００７】
このデータブロックは、記録媒体のデータ領域の使用状態情報を含むこともできる。この使用状態情報は、データを格納するデータ領域の使用に関する情報を提供する。記録モードが順次記録のとき、データブロックは記録媒体のデータ領域中の連続記録領域（ｃｏｎｔｉｎｕｏｕｓ  ｒｅｃｏｒｄｉｎｇ  ａｒｅａｓ）に関する情報を提供する。記録モードがランダム記録のとき、データブロックは記録媒体のデータ領域の記録状態（ｒｅｃｏｒｄａｔｉｏｎ  ｓｔａｔｕｓ）を示すスペースビットマップを含む。
【０００８】
本発明の別の実施例は、追記型記録媒体をフォーマットする方法を提供する。この方法では、記録媒体の所望の記録モードに関連する入力が受信され、所望の記録モードのインジケータが記録媒体の仮欠陥管理領域中の仮定義構造に記録される。例えば、所望の記録モードは、順次記録モードおよびランダム記録モードの１つとすることができる。この方法は、記録された記録モードインジケータが順次記録モードを示すとき、順次記録情報を仮欠陥管理領域に記録することをさらに含む。順次記録情報は記録媒体のデータ領域中の連続記録領域に関する情報を提供する。この方法はまた、記録された記録モードインジケータがランダム記録モードを示すとき、スペースビットマップを仮欠陥管理領域に記録することをさらに含む。スペースビットマップは、記録された記録モードインジケータがランダム記録モードを示すとき、記録媒体のデータ領域の記録状態に関する情報を提供する。
【０００９】
本発明のさらなる実施例は、追記型記録媒体上で記録管理情報の方法を提供する。この実施例では、記録モードインジケータが記録媒体の仮欠陥管理領域中の仮定義構造から再生され、記録媒体の記録モードは記録モードインジケータに基づいて判断される。そして、記録媒体の使用状態情報がこの判断するステップに基づいて仮欠陥管理領域に記録される。使用状態情報は、データを格納する記録媒体のデータ領域の使用に関する情報を提供する。
【００１０】
本発明のさらなる実施例は、追記型記録媒体上で管理情報を記録する方法を提供する。この実施例では、使用状態情報は、イベントが発生したとき、記録媒体の仮欠陥管理領域中の更新された使用状態情報を記録することによって更新される。使用状態情報は、データを格納する記録媒体のデータ領域の使用に関する情報を提供する。
【００１１】
本発明の別の実施例では、記録媒体の仮欠陥管理領域は、複数の様々なサイズの欠陥リストを格納する。各欠陥リストは、欠陥リストが記録されたときの記録媒体の記録レイヤのデータ領域中の欠陥を示す。仮欠陥管理領域はまた、複数の固定サイズの仮定義構造を格納する。各仮定義構造は、仮定義構造が記録されたときの記録媒体の１レイヤのデータ領域に関する使用状態情報を提供する。
【００１２】
本発明のさらなる実施例は、追記型記録媒体上で管理情報を記録する方法を提供する。この実施例では、少なくとも１つの欠陥リストが仮欠陥管理領域に記録される。この欠陥リストは、記録媒体の記録レイヤのデータ領域中の欠陥をリストする。記録された欠陥リストは、以前に記録された欠陥リストに比して新しい欠陥を含み、そのため記録された欠陥リストと以前に記録された欠陥リストは異なるサイズを有する。この実施例は仮欠陥管理領域中の少なくとも１つの仮定義構造を記録することをさらに含む。各仮定義構造は、仮定義構造が記録されたときの記録媒体の１つのレイヤのデータ領域に関する使用状態情報を提供する。この記録された仮定義構造は、以前に記録された仮定義構造と同じ量のスペースを記録媒体上で消費する。
【００１３】
本発明のさらなる実施例は、記録媒体の各記録レイヤと関連付けられた少なくとも１つの仮定義構造が格納された仮欠陥管理領域を有する追記型記録媒体上で管理情報を記録する方法を提供する。各仮定義構造は、データを格納する関連付けられた記録レイヤ中のデータ領域の使用に関する情報を提供する使用状態情報を含む。この方法は、各記録レイヤと関連付けられたさた最も最近の仮定義構造を記録媒体の欠陥管理領域に記録することを含む。
【００１４】
本発明はさらに、本発明によるデータ構造を記録し、再生する装置及び方法を提供する。
【００１５】
本発明の上記の特徴および他の利点は、添付の図面と共に以下の詳細な説明からより明確に理解されるであろう。
【発明を実施するための最良の形態】
【００１６】
本発明が完全に理解されるように、本発明の実施例について添付の図面を参照して説明する。便宜のために、本実施例において追記型ディスクの一例として、追記型のブルーレイディスクを用いることにする。
【００１７】
＜記録媒体のデータ構造＞
図１及び図２は、追記型光ディスクのデータ構造と、より具体的には本発明の実施例による管理情報とを示している。
【００１８】
図に示す追記型光ディスクの構造は、韓国特許出願番号２００３−１５６３４に詳細に記載されている。
【００１９】
図示したように、この例における追記型光ディスクは、１つの記録レイヤを有する単層ディスクである。このディスクは、主データ領域の欠陥（例えば、物理的欠陥）のために、主データ領域に記録することができないデータを記録するためのスペア領域（ＩＳＡ０／ＯＳＡ０）を含む。データの欠陥部分のスペア領域の部分との置換を管理するための情報が仮欠陥管理領域（ＴＤＭＡ）上に記録される。
【００２０】
一般に、１回だけ書込み可能なものとは反対に書き換え可能な光ディスクは、欠陥管理領域（ＤＭＡ）にデータを繰り返し書き込んだり、消去したりすることができるので、限られたＤＭＡを有する。追記型光ディスクは、データが一度だけ書き込まれ、消去できないため、欠陥を管理するためにより大きなスペースを必要とする。従って、ＴＤＭＡは、欠陥管理情報は光ディスクの使用中に変わるのでこの情報を記録するために使用される。ディスクが完了すると、欠陥管理情報の最も最後のバージョンが追記型光ディスク上のＴＤＭＡからＤＭＡへコピーされる。
【００２１】
図１を参照すると、ＴＤＭＡは、固定のサイズを有するリードイン領域に割り振られたＴＤＭＡ１とスペア領域ＯＳＡ０に割り振られたＴＤＭＡとを含む。ＴＤＭＡは、スペア領域のサイズに連動するサイズを有する。例えば、スペア領域ＯＳＡ０のサイズがＮ×２５６クラスタであり、そのＴＤＭＡ２がＰクラスタを成す。クラスタの数Ｐは、Ｐ＝（Ｎ×２５６）／４に従って決められる。各ＴＤＭＡには、仮欠陥リスト（ＴＤＦＬ）と仮ディスク定義情報（ＴＤＤＳ）とディスク使用状態情報の形態の仮欠陥管理情報を記録することができる。
【００２２】
上述したように、欠陥領域がデータ領域に存在するとき、スペア領域（ＩＳＡ０／ＯＳＡ０）が欠陥領域の代わりになる。ＴＤＦＬは、このプロセスを管理する情報をリストの形態で提供する。例えば、このリストは、欠陥領域及び欠陥領域を置き換えるスペア領域を示す。本発明の一実施例によれば、ＴＤＦＬのサイズは、ＴＤＦＬ中の情報の量に依存して１〜４クラスタの範囲で可変する。これに対し、本発明の一実施例によれば、ＴＤＤＳに捧げられたスペースの量は、１クラスタで固定されたままである。実施例によれば、このデータブロックは、図２、図５Ａ〜図５Ｂ、図７Ａ〜図７Ｂを参照して詳細に後述されるように、ＴＤＤＳとディスク使用状態情報を含む。下記により詳しく説明するように、ディスク使用状態情報は、追記型光ディスクの記録モードによって、順次記録情報（例えば、トラック情報）、またはスペースビットマップ（ＳＢＭ）とすることができる。
【００２３】
まず、図２を参照して、従来の書き換え可能な光ディスクのディスク管理情報を本発明のＴＤＤＳに含まれる内容と比較することにする。
【００２４】
書き換え可能な光ディスクの場合、ＤＤＳは、約６０バイトの１クラスタ（１クラスタが３２個のセクタを有する）のディスクの非常に小さな部分を消費する。このクラスタの残りの領域は、「ゼロパディング」によって設定される。しかし、本発明のこの実施例では、従来の書き換え可能な光ディスクに使用される領域（６０バイト）の他にも、残りの領域をディスク管理情報として使用する。従って、本発明のＴＤＤＳは、既存の書き換え可能な光ディスクで使用されるＤＤＳのみならず、追記型光ディスクに特有の情報が順次１つのセクタ（２０４８バイト）に記録される。例えば、追記型光ディスクに特有の情報は、複数の可能な記録モードから記録媒体の記録モードを示す記録モードインジケータを含む。複数の記録モード及び記録モードインジケータについては下記で詳細に論じることにする。この情報はまた、最後のＴＤＦＬの位置情報等も含むことができる。
【００２５】
図１及び図２に示すように、ディスク使用状態情報（例えば、下記に詳細に論ずるように、記録媒体の記録モードに依存してトラック情報などの順次記録情報、またはスペースビットマップ情報）は、ＴＤＤＳを含む１クラスタの残りの３１セクタ上に記録される。あるいは、ディスク使用状態情報は、ＴＤＤＳの前の３１セクタに構成することができ、ＴＤＤＳは最後の３２セクタに構成することができる。ディスク使用状態情報は、ディスクのユーザーによる使用によって変わり、下記に詳細に論ずるように、記録／未記録領域の情報の区分を通して追加の記録可能な領域を精度よく検索するのに使用できる情報を提供する。
【００２６】
従って、本開示で使用されるＴＤＤＳは、上述したように広く解釈されるべきであり、１つの特定の規格によって定義された用語として解釈されるべきではない。
【００２７】
＜記録モード及び初期化方法＞
図３は、本発明の実施例による記録モードに基づく光ディスクの初期化方法を示している。
【００２８】
上述したように、本発明は、追記型光ディスクについても、種々の記録方法をサポートするように意図され、この方式は、「順次記録モード（ｓｅｑｕｅｎｔｉａｌ ｒｅｃｏｒｄｉｎｇ ｍｏｄｅ）」及び「ランダム記録モード（ｒａｎｄｏｍ ｒｅｃｏｒｄｉｎｇ ｍｏｄｅ）」である。
【００２９】
「順次記録モード」は、先行技術の光ディスク追記型規格によって採用されていたディスク全体を一度に記録するＤＡＯ（Ｄｉｓｃ Ａｔ Ｏｎｃｅ）モード及びディスクの連続記録領域に順次的に情報を記録するインクリメンタル記録モードを含む記録モードである。本発明の順次記録モードでは、インクリメンタル記録モードにおいてディスクに追加の記録可能な領域の数が制限されない。データが順次的に記録される連続記録を本会時ではトラックと称し、順次記録情報をトラック情報ということができる。このトラック情報については下記に詳細に論ずるであろう。
【００３０】
「ランダム記録モード」は、ディスクの全領域にわたって自由な記録を可能にする記録モードである。即ち、このモードは、ディスクの記録領域のデータを記録する順番を制限しない。ここで、スペースビットマップ（ＳＢＭ）がディスクの記録状態を示すディスク使用状態情報として使用される。このＳＢＭについては下記に詳細に論ずるであろう。
【００３１】
本発明は、上記のように複数の記録モードをサポートし、追記型ディスクが最初に使用されるとき、記録モードの決定がなされ、ディスクはその記録モードに対して初期化される。即ち、ユーザー、ディスクの製造業者、またはホスト（以下、総称して「ホスト」という）が、ディスクの記録モードについて決定し、ディスクの指定された管理領域中に記録モードを設定する。具体的には、ホストがディスクの記録モードを入力すると、ディスク記録システムは、ＴＤＤ中に１バイトを設定して記録モードを示し、記録モードに関連付けられたディスク使用状態情報のフォーマットを決定する。例えば、記録モードが順次記録モードであれば、システムは、記録モードを「００００ ００００ｂ」に設定し、使用状態情報として「トラック情報」を設定する。記録モードが、ランダム記録モードであれば、システムは、記録モードを「００００ ０００１ｂ」に設定し、使用状態情報として「ＳＢＭ」を設定する。従って、ディスクがその後に使用されるとき、システムは、決められた記録モードに従ってデータをディスクに記録し、これに対応する使用状態情報の１つをディスクの管理情報として更新する。
【００３２】
結果として、初期化が完了し、ディスク追記型がロードされると、システムは、まずこの対応するディスクの記録モードを判断し、記録モードの判断に従って複数のディスク使用状態情報の１つを決定し、対応するディスクに設定されたディスクの管理領域に決定された使用状態情報を更新する。
【００３３】
以下、ＴＤＤＳの記録モードと関連付けられて管理される「トラック情報」及び「ＳＢＭ」の詳細な構造及び記録方法について説明し、ＴＤＭＡとＤＭＡにＴＤＤＳ及びＴＤＦＬを記録する方法について説明することにする。
【００３４】
＜トラックの種類＞
図４を参照して、本発明の一実施例に係るディスクのトラックの種類及び物理的構造について説明する。データが順次的に記録される連続記録領域をトラックと称する。図４は、本発明の一実施例に係る追記型光ディスクの様々な種類の基本トラックを示している。具体的には、図４は、ある期間の追記型ディスクの間使用を想定して、様々な状態を有する複数の連続記録領域またはトラックを示している。図に示すように、トラック１および２は、その先頭領域にデータを格納し、それぞれが追加的な記録が可能な後の領域を有するオープントラックに対応する。トラック３および４は、完全に満たされている（トラック４）、またはさらなる記録について閉じられた（トラック３）完了またはクローズドのトラックに対応する。トラック３によって、図示したように、未記録領域を有するトラックがトラック中への更なる記録が許容されないようにクローズされるとき、未記録領域は、「ｚｅｒｏ」でパッドされ（図４中のハッチされた部分に示すように完了トラックとなるように変更される）、トラック３はこの点でトラック４と異なる。
【００３５】
トラック５は、追加記録が可能な領域を含む最後のトラックの一例を提供する。このトラックは、中間トラックという。従って、トラックの種類は、オープン、クローズド、中間の３種類のトラックがある。
【００３６】
トラックのそれぞれは、トラックの種類に拘わらず、最後に記録されたアドレス（ＬＲＡ）を有する。ＬＲＡは、実際のデータがトラックに記録された最後のアドレスである。従って、トラック３に関して、トラック３がゼロでパッドされる前の位置（またはアドレス）がトラック３のＬＲＡである。より具体的には、光ディスクのデータを記録する単位がクラスタであると想定し、１クラスタに３２のセクタがあり、もしその中に３２セクタ未満しかなければ、残りのセクタは、ゼロでパッドされる。パディング前の最後のセクタアドレスはＬＲＡである。クローズドトラック以外のオープン及び中間トラックのそれぞれについて、データを書き込むことができる次のアドレスを示す次の書込み可能アドレス（ＮＷＡ：Ｎｅｘｔ Ｗｒｉｔａｂｌｅ Ａｄｄｒｅｓｓ）を決定することができる。ＮＷＡは、ＬＲＡに続く次のセクタアドレスとしてＬＲＡから得られる。
【００３７】
＜記録媒体上のトラック情報のデータ構造＞
まず、本発明は、オープントラックの数を制限しない。従って、複数のオープントラック及び完了トラックが存在することがある。本発明は、効率よくこの潜在性を管理するための記録媒体上のデータ構造を提供する。図５Ａに示すように、ＴＤＤＳ中の記録モードインジケータが順次記録モードを示し、ディスク使用状態情報がトラック情報である。トラック情報データ構造の実施例について、図５Ｂに関して詳細に説明する。
【００３８】
図に示すように、順次記録、より詳しくは、トラック情報は三つの部分を含み、これは、データ構造がトラック情報を提供することを示すためのヘッダと、トラック情報を提供するトラック情報リストと、トラック情報の終りを示すターミネーターである。
【００３９】
ヘッダは、トラック情報内の先頭部分に配置され、「トラック情報構造識別子」フィールドを含み、この識別子に続く情報がトラック情報であることを示す。次のインジケータ「トラック情報フォーマット」はトラック情報を示す。これには、トラック情報に対応する記録レイヤを表す「レイヤ番号（０または１）」フィールドが続く。これまでの例は、片面の単一の記録レイヤの追記型光ディスクについてであったが、光ディスクは複数の記録レイヤおよび／または両面を有することもできる。
【００４０】
ヘッダは、トラック情報に対応する記録レイヤのデータ領域中のトラックの数を表す「トラックの総数」フィールドと、このデータ領域中のオープントラックの数を表す「オープントラックの総数」フィールドを含む。トラック情報リストを読み出す前に、トータルのトラック情報を確認することができる。
【００４１】
トラック情報リストはヘッダの後に記録され、これについては下記でより詳細に説明することにするトラック情報リストターミネーターは、トラック情報の終りを表す。従って、トラック情報は、連続して記録されたヘッダ、トラック情報リスト、及びターミネーターを含む。
【００４２】
トラック情報リストの実施例についてより詳細に説明する。トラック情報リストは、ディスクの対応するデータ領域における各トラックについての一つのエントリーを含む。各エントリーは、例えば、８バイトずつ割り振られる。このトラック情報エントリーは、トラック状態情報、対応するトラックの第一のアドレス情報、トラックの最後に記録されたアドレス情報を含む。
【００４３】
トラック状態情報は、トラックの種類（即ち、オープン、クローズ、中間）を示し、図３Ｂに示すように４ビットにて表すことができる。本発明のこの実施例では、追加の記録が可能なオープントラックは、トラック状態情報として「００００ｂ」にて示される。中間トラックは、トラック状態情報として「０００１ｂ」にて示され、追加記録が許可されていない完了トラックは、トラック情報として「１０００ｂ」にて示される。トラック状態情報は、前述したように特定のビットとして表されて、本開示において後述するトラック情報リストエントリーをソートするのを助ける。
【００４４】
図５Ｂに示す例において、エントリーの第一のアドレス情報は、「トラックの開始ＰＳＮ（ｐｈｙｓｉｃａｌ ｓｅｃｔｏｒ ｎｕｍｂｅｒ）」フィールドである。このフィールドは、トラックを形成する第１のセクタのセクタアドレスを提供する。図５Ｂに示す例における最後に記録されたアドレス情報は、このトラックのＬＲＡである。従って、一つのエントリーを読み出せば、トラックの種類、開始位置、及びトラックのＬＲＡが決定できる。
【００４５】
各エントリー中のトラック状態情報はセッション開始ビット（例えば、トラック状態情報中のビットのうちの１つをセッション開始情報として使用することができる）を含むことができる。セッション状態は、トラックがセッションにおける第１のトラックであるか否かを示す。ここで、トラックグループにクラスタ化することをセッションと呼んでいる。
【００４６】
＜スペースビットマップ構造及び記録方法＞
図６は、光ディスクの異なる領域が記録される方向を図示している。本説明は、図７Ａ及び図７Ｂに関連して後述するＳＢＭのデータ構造を理解するのに役立つであろう。
【００４７】
図１は、単層の光ディスクの一例を示したが、ＢＤ−ＷＯは、複数の記録レイヤを有してもよい。このように、本発明による単層の光ディスクの態様は、両方のレイヤにも適用可能である。説明の目的のために図６は、ＢＤ−ＷＯのような光ディスク追記型における複数のレイヤのそれぞれの領域を概略的に示している。
【００４８】
図６に示すＢＤ−ＷＯにおいて、第一及び第二の記録レイヤＬａｙｅｒ０およびＬａｙｅｒ１（以下、「Ｌ０」、「Ｌ１」という）が存在することができる。それぞれの記録レイヤは、インナー領域、インナースペア領域、ユーザー領域、アウタースペア領域、及びアウター領域を含む。二レイヤディスクの場合、第一の記録レイヤＬ０のインナー領域は、リードイン領域になり、第二の記録レイヤＬ１のインナー領域は、リードアウト領域になる。しかし、単レイヤディスクの場合には、アウター領域がリードアウト領域になる。
【００４９】
図６は、第一の記録レイヤＬ０が、内周から外周に使用され、そのアウター・スペア領域ＯＳＡ０のみが、外周から内周に使用されることを示している。第二の記録レイヤＬ１は、外周から内周に使用され、そのインナースペア領域ＩＳＡ１のみが、内周から外周に使用される。従って、それぞれの領域の開始位置は、その領域の使用方向に従って決定される。しかし、これは、ディスクの使用効率に対応するだけで、それぞれの領域の使用方向が変われば、その領域の開始位置も変わる。
【００５０】
上記のようにディスクのそれぞれの領域の使用方向及び開始位置が定義されるという状態において、ディスクの使用状態によって変わるＳＢＭを示す方法について下記に詳細に説明することにする。
【００５１】
図７Ａに示すように、ＴＤＤＳ中の記録モードインジケータがランダム記録モードを示し、ディスク使用状態情報がＳＢＭである。図７Ｂは、ＳＢＭのデータ構造の一例を示している。図示したように、ＳＢＭは三つの部分を含み、これは、ＳＢＭの認識を可能にするヘッダ、ＳＢＭを直接示すＳＢＭ情報、及びＳＢＭの終りを示すＳＢＭターミネーターである。
【００５２】
ヘッダは、この情報フィールドをＳＢＭとして示すことに加えて、記録レイヤ情報フィールドとフォーマットバージョンフィールドとを含む。記録レイヤ情報フィールドは、どの記録レイヤ（例えば、レイヤ番号０または１）にＳＢＭが関連付けられているかを示している。フォーマットバージョンフィールドは、どのフォーマットバージョンにＳＢＭが準拠するかを示している。
【００５３】
ＳＢＭ情報は、図４Ｂに示すように、ディスクの各分割された領域ごとに用意され、また、ＳＢＭを更新するかどうかは、ユーザー、ディスク製造業者またはホスト（以下、総称的にホストという）によって必要に応じて決めることができる。具体的には、ＳＢＭ情報部は、各領域の開始位置情報（Ｓｔａｒｔ Ｃｌｕｓｔｅｒ Ｆｉｒｓｔ ＰＳＮ）、対応する領域の長さ情報、及び各領域ごとのビットマップデータを含む。一実施例において、ビットマップ情報は、開始位置情報及び長さ情報が設定されている場合のみ更新される。この方法は、ＳＢＭオン／オフ機能と呼ばれ、ホストの多様な要求に能動的に対応するためである。また、ＢＤ−ＷＯの場合、使用環境がリアルタイム記録に対応する場合、欠陥管理が行われないことがある。この場合は、スペア領域が割り振られず、対応する領域のＳＢＭを更新することを要しない。
【００５４】
また、１つの特定のケースでは、実ユーザーデータが記録される領域であるユーザー領域だけがＳＢＭによって管理され、ＳＢＭは他の領域に対する変更について更新されないことになる。本実施例に従って操作することは、管理情報が変更されると常にＳＢＭが更新される場合、ＳＢＭに対する頻繁な更新が要求されることがあるので有益である。本実施例は、ディスク上の利用可能なＴＤＭＡ領域をすぐに使い切ってしまうことを防止することができる。従って、ＳＢＭオン／オフ機能のみを用いて、ユーザーデータ領域のＳＢＭ更新を行い、残りの領域を更新しないことを望む場合、他の領域の開始位置情報及び長さ情報を特定値、例えば、「ゼロ」値に設定する。
【００５５】
理解されるように、ＳＢＭの各更新に伴い、新しいＳＢＭ＋ＴＤＤＳデータブロックがＴＤＭＡに記録され、ここで、ＳＢＭは、ディスクの記録状態の累積的指示を提供する。このように、ＳＢＭの各更新に伴い、ＴＤＤＳが更新されて、とりわけ、ＳＢＭの新しい位置を示す。
【００５６】
＜トラック情報更新方法＞
ディスク使用状態情報をいつ更新するかは、システム又はシステム設計者によって確立される設計パラメータとすることができる。しかし、更新をトリガするイベントの例について下記に詳細に説明する。
【００５７】
新たなトラックが生成されるか、トラックが順次記録モードでクローズされているとき、トラック情報が新たに生成されるので、トラック情報を更新することができる。同様に、新たな記録可能領域がランダム記録時に変更されるとき、ＳＢＭが更新される。また、ディスクがドライバから取り出されるか、またはドライバの電源が切られたとき、ディスクの使用を少なくとも一時中止する。これらのときに、「トラック情報」が更新される。
【００５８】
＜ＴＤＭＡ及びＤＭＡ記録方法＞
図８及び図９は、本発明に係るＴＤＭＡ及びＤＭＡに情報を記録する方法の実施例についてそれぞれ示している。図８は、ディスクの使用中でのＴＤＤＳ情報、ディスク使用状態情報、及びＴＤＦＬ情報をＴＤＭＡに記録する方法を示しており、図９は、ディスクが終了される場合にＴＤＭＡに記録された最終または最も最近のバージョンの情報をＤＭＡに移す方法を示している。
【００５９】
図８は、リードイン領域に存在するＴＤＭＡ１の場合のみを示している。しかし、この方法はディスクの他の領域に存在するＴＤＭＡでも行うことができることは明らかであろう。本発明に従って、ＴＤＦＬおよびＴＤＤＳは、次の方法を通じてＴＤＭＡに記録される。
【００６０】
ＴＤＦＬは、記録レイヤに拘わらず欠陥領域の発生順に記録および管理され、可変のサイズを有する。即ち、記録が欠陥領域の増加によりクラスタ１を超えるとき、ＴＤＦＬのサイズが１〜８クラスタの範囲で増加することがある。クラスタの数は、多層ＢＤ−ＷＯが適用されるとき全ディスク容量を考慮して取得される（例えば、単一の記録レイヤディスクについては４クラスタ、二層の記録レイヤディスクについては８クラスタ）。
【００６１】
次いで、固定サイズを有するＴＤＤは、複数層の記録レイヤについて分割して記録および管理される。即ち、各記録レイヤのＴＤＤＳが図８に示すように、ＴＤＦＬの後で交互に記録される。これは、ＴＤＤＳと共に記録される「トラック情報」および「ＳＢＭ」がそれぞれの記録レイヤに分割して記録されるという事実に対応する。また、ＴＤＤＳでは、領域に「最も新しいＴＤＦＬ位置情報（４バイト）」と、「他の記録レイヤの最も新しいＴＤＤＳ位置情報（４バイト）」を記録するために領域が割り当てられる。ＴＤＤＳが更新されると常に上記の情報も更新される。このように、最後に記録されたＴＤＤＳ情報（記録レイヤを問わず）を読み出すことによって、対応するディスクに関する全ての情報、例えば、ディスク記録モード、最も新しい使用状態情報（トラック情報またはＳＢＭ）、最も新しいＴＤＦＬ位置情報、他の記録レイヤの最も新しいＴＤＤＳ位置情報が確認されて、ディスクの効率的な管理を実現する。
【００６２】
図９は、リードイン領域に存在するＤＭＡ１およびＤＭＡ２のみについてデータの記録を示している。しかし、ディスクの別の領域に存在するＤＭＡでもこの記録方法が行われ得ることは明らかであろう。
【００６３】
まず、ＤＭＡに記録することは、更なる記録が不可能なとき（これは、ＴＤＭＡまたはスペア領域がフルになるときに起こり得る）、または、ユーザーがオプションとしてディスクを終了するときに行われることがある。ＤＭＡに記録された内容は、ＴＤＭＡにおける最終のＴＤＤＳ（ディスク使用状態情報と共に）／ＴＤＦＬ情報である。この情報は、ＤＭＡへのＤＤＳ／ＤＦＬとして移される。従って、ＴＤＤＳ／ＴＤＦＬ情報は、記録された内容の変更がないので、ＤＤＳ／ＤＦＬに記録される。ＤＤＳ／ＤＦＬは、ＤＭＡにおけるディスクの最終記録を意味し、ＴＤＤＳ／ＴＤＦＬと同じ構造及び内容を有する。
【００６４】
本発明によれば、ＤＤＳおよびＤＦＬは、次の方法を通して記録される。
【００６５】
本発明の一実施例に係る前記ＤＭＡは、複数の記録レイヤの場合には、６４クラスタを含む。８つの先行クラスタは、ＤＤＳ情報を記録するための領域を提供し、残りの５４クラスタは、ＤＦＬ情報を記録する領域を提供する。
【００６６】
ＤＭＡ中のＤＤＳは、ＴＤＤＳと同じ構造を有する。ＤＤＳのクラスタ１の上位セクタ１において、ＢＤ−ＲＥにおいて使用したものと同じ情報を記録する領域、及びＢＤ−ＷＯにおいてのみ使用される情報（例えば、ディスク記録モード、最新の使用状態情報（トラック情報またはＳＢＭ）、最新のＴＤＦＬの位置情報、他の記録レイヤの最新のＴＤＤＳ位置情報など）を記録する領域が提供される。残りの３１セクタでは、ディスク使用状態情報としての記録モードに連関して定められた「トラック情報」または「ＳＢＭ」がそれぞれの記録レイヤに分割して記録される。
【００６７】
また、順次記録は、第一の記録レイヤ（Ｌ０のＴＤＤＳ）および第二の記録レイヤ（Ｌ１のＴＤＤＳ）のＴＤＤＳの順に行われ、繰り返し記録は、第二の記録レイヤ（Ｌ１のＴＤＤＳ）および第一の記録レイヤ（Ｌ０のＴＤＤＳ）のＴＤＤＳの順に行われる。この記録方法は、ディスクの実際の構造を考慮し、ディスクのスクラッチの方向（主に、水平方向）に起因してＤＭＡ情報が損傷される可能性に備えている。
【００６８】
また、ＤＭＡのＤＦＬは、最終のＴＤＦＬと同じ内容を有し、ＴＤＦＬは、最大で８クラスタを用いて記録されるので、その繰り返し記録はシステムによって要求される回数だけ行われる。このとき、繰り返しの回数は、最大で７回である。
【００６９】
前述したように、本発明に係る光ディスク追記型の管理情報を記録する方法は、決められた記録モードに従って、ディスク使用状態情報（「トラック情報」および「ＳＢＭ」）の選択的記録を可能とし、ＴＤＭＡ及びＤＭＡの情報の効率的な記録を可能とし、そのため、効率的で連続的なディスクの使用が達成される。
【００７０】
図１０は、本発明による光ディスク記録および再生装置の実施例を示す概略図である。図示したように、エンコーダー９は、データ（例えば、静止画データ、オーディオデータ、ビデオデータ等）を受信し、エンコードする。エンコーダー９は、エンコードしたデータをコーディング情報及びストリーム属性情報と共に出力する。マルチプレクサ８は、コーディング情報及びストリーム属性情報に基づいてエンコードされたデータをマルチプレクスして、例えば、ＭＰＥＧ−２トランスポートストリームを作成する。ソースパケタイザ７は、マルチプレクサ８からのトランスポートストリームを光ディスクのオーディオ／ビデオフォーマットに従ってソースパケットにパケット化する。図１０に示すように、エンコーダー９、マルチプレクサ８およびソースパケタイザ７は、コントローラー１０によって制御される。コントローラー１０は、記録動作に関するユーザーコマンドを受信し、制御情報をエンコーダー９、マルチプレクサ８およびソースパケタイザ７に提供する。例えば、コントローラー１０は、行うべきエンコーディングのタイプをエンコーダー９に指示し、マルチプレクサ８には作成すべきトランスポートストリームに関して指示し、ソースパケタイザ７にはソースパケットのフォーマットに関して指示する。コントローラー１０はさらにドライブ３を制御して、ソースパケタイザ７からの出力信号を光ディスク上に記録する。
【００７１】
コントローラー１０はまた、光ディスク上に記録されているデータの再生を管理するためのナビゲーション及び管理情報を作成する。例えば、コントローラー１０はドライブ３を制御して、図１〜図９に示すデータ構造の一つ以上を光ディスクに記録し、上述した記録及び再生方法を行う。
【００７２】
再生またはさらなる記録動作の間、コントローラー１０はドライブ３を制御して、このデータ構造を再生する。データ構造に収容された情報並びにユーザーインターフェイスを介して受信したユーザー入力に基づいて、コントローラー１０はドライブ３を制御して、前述したように光ディスクからデータを再生したり、そして／または光ディスクにデータを記録したりする。
【００７３】
再生されたソースパケットは、ソースデパケタイザ４によって受信され、データストリーム（例えば、ＭＰＥＧ−２トランスポートストリーム）に変換される。デマルチプレクサ５は、データストリームをエンコードしたデータにデマルチプレクスする。デコーダー６は、エンコードしたデータをデコードして、エンコーダー９にフィードされた元のデータを生成する。再生の間、コントローラー１０は、ソースデパケタイザ４、デマルチプレクサ５およびデコーダー６の動作を制御する。コントローラー１０は、再生動作に関するユーザー命令を受信し、制御情報をデコーダー６、デマルチプレクサ５、及びソースデパケタイザ４に提供する。例えば、コントローラー１０は、行うべきデコーディングのタイプをデコーダー６に指示し、デマルチプレクサ５にはデマルチプレックスすべきトランスポートストリームに関して指示し、ソースデパケタイザ４にはソースパケットフォーマットに関して指示する。
【００７４】
図１０は、記録及び再生装置として図示されているがが、記録のみ、または再生のみの装置を再生または記録機能を提供する図１０の部分を用いて提供することができることを理解されよう。
【００７５】
追記型光ディスク管理データ構造及びこのデータ構造を記録および再生し、管理データを更新する方法により、データを格納する記録媒体の使用に関する情報を提供する。
【産業上の利用可能性】
【００７６】
本発明の実施例に従って高密度記録媒体の少なくともデータ領域を管理するデータ構造および方法によりＢＤ−ＷＯなど追記型記録媒体の効率的で連続した使用を可能にする。上記の説明から明らかなように、本発明は記録媒体の少なくともデータ領域を管理する高密度記録媒体上にデータ構造を記録する装置も提供する
本発明は限定された数の実施例に関して説明したが、本発明の利益を有する当業者は、これらから数多くの修正および変更形態を理解するであろう。例えば、いくつかの例でブルーレイ追記型光ディスクに関して説明したが、本発明はこの規格の光ディスクに限定されない。本発明の趣旨及び範囲内に入るすべてのこのような修正及び変更形態が意図されている。
【図面の簡単な説明】
【００７７】
【図１】本発明の一実施例に係る単層の追記型光ディスクを示す図である。
【図２】本発明のディスク管理情報と従来の書き換え可能な光ディスクのディスク管理情報の比較を示す図である。
【図３】本発明の一実施例に係る記録モードに基づく光ディスクの初期化方法を示す図である。
【図４】本発明の一実施例に係る追記型光ディスクの様々な種類のトラックを示す図である。
【図５Ａ】本発明の一実施例に係る追記型光ディスクのデータ構造、具体的には、仮ディスク管理情報を示す図である。
【図５Ｂ】本発明の一実施例に係る追記型光ディスクのデータ構造、具体的には、仮ディスク管理情報を示す図である。
【図６】光ディスクの様々な領域が記録される方向を示す図である。
【図７Ａ】ＳＢＭ（Ｓｐａｃｅ  Ｂｉｔｍａｐ）がクラスタ中の３１個の先行セクタに記録され、ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）が残りのセクタに記録される場合を示す図である。
【図７Ｂ】ＳＢＭのデータ構造の一例を示す図である。
【図８】本発明に係るＴＤＭＡとＤＭＡ中に情報を記録する方法の実施例を示す図である。
【図９】本発明に係るＴＤＭＡとＤＭＡ中に情報を記録する方法の実施例を示す図である。
【図１０】本発明に係る記録再生装置の一実施例を示す図である。
【図１】
2007528563.tif 000003
【図２】
2007528563.tif 000004
【図３】
2007528563.tif 000005
【図４】
2007528563.tif 000006
2007528563.tif 000007
2007528563.tif 000008
【図６】
2007528563.tif 000009
2007528563.tif 000010
2007528563.tif 000011
【図８】
2007528563.tif 000012
【図９】
2007528563.tif 000013
【図１０】
2007528563.tif 000014
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
記録媒体のデータ領域を管理するためのデータ構造を有する追記型記録媒体であって、
記録媒体の記録モードを示す仮定義構造を含むデータブロックを格納する仮欠陥管理領域を備えたことを特徴とする記録媒体。
【請求項２】
前記データブロックは、記録媒体のデータ領域の使用状態情報を含み、前記使用状態情報は、データを格納するデータ領域の使用に関する情報を提供することを特徴とする請求項１に記載の記録媒体。
【請求項３】
前記記録モードは、順次記録とランダム記録のいずれかであることを特徴とする請求項１に記載の記録媒体。
【請求項４】
前記記録モードは、順次記録であり、前記データブロックは、記録媒体のデータ領域中の連続する記録領域に関する情報を提供する順次記録情報を含むことを特徴とする請求項３に記載の記録媒体。
【請求項５】
前記順次記録情報は、ヘッダ、各連続記録領域の情報エントリーおよびターミネーターを含み、前記ヘッダは、順次記録情報として順次記録情報を識別し、各情報エントリーは、関連付けられた連続記録領域に関する情報を提供し、ターミネーターは、順次記録情報の終りを示すことを特徴とする請求項４に記載の記録媒体。
【請求項６】
前記ヘッダは、連続記録領域の数を示すことを特徴とする請求項５に記載の記録媒体。
【請求項７】
前記ヘッダは、記録のためにオープンされている連続記録領域の数を示すことを特徴とする請求項６に記載の記録媒体。
【請求項８】
前記ヘッダ情報は、記録のためにオープンされている連続記録領域の数を示すことを特徴とする請求項５に記載の記録媒体。
【請求項９】
各情報エントリーは、関連付けられた連続記録領域が連続記録領域群のうちの第一の連続記録領域であるかを示すことを特徴とする請求項５に記載の記録媒体。
【請求項１０】
各情報エントリーは、関連付けられた連続記録領域が記録のためにオープンされているかを示すことを特徴とする請求項５に記載の記録媒体。
【請求項１１】
各情報エントリーは、関連付けられた連続記録領域の開始物理セクタ番号を示すことを特徴とする請求項５に記載の記録媒体。
【請求項１２】
各情報エントリーは、関連付けられた連続記録領域の最後の記録アドレスを示すことを特徴とする請求項５に記載の記録媒体。
【請求項１３】
各情報エントリーは、関連付けられた連続記録領域の状態情報を示し、関連付けられた連続記録領域の開始物理セクタ番号を示し、関連付けられた連続記録領域の最後の記録アドレスを示すことを特徴とする請求項５に記載の記録媒体。
【請求項１４】
前記状態は、関連付けられた連続記録領域が連続記録領域群のうちの開始であるかを示すことを特徴とする請求項１３に記載の記録媒体。
【請求項１５】
前記記録モードは、ランダム記録であり、前記データブロックは、記録媒体のデータ領域の記録状態を示すスペースビットマップ（ＳＢＭ）を含むことを特徴とする請求項３に記載の記録媒体。
【請求項１６】
前記スペースビットマップは、スペースビットマップデータ、スペースビットマップデータを指すデータポインタおよびスペースビットマップデータの長さを示す長さインジケータを含むことを特徴とする請求項１５に記載の記録媒体。
【請求項１７】
前記データポインタは、スペースビットマップデータの第一の物理セクタ番号を示すことを特徴とする請求項１６に記載の記録媒体。
【請求項１８】
前記スペースビットマップデータは、データ領域の各記録単位に関連付けられたインジケータを含み、前記状態インジケータは、データが前記関連付けられた記録単位で記録されるかを示すことを特徴とする請求項１６に記載の記録媒体。
【請求項１９】
前記記録単位は、クラスタであることを特徴とする請求項１８に記載の記録媒体。
【請求項２０】
前記スペースビットマップは、スペースビットマップのフォーマットを示すフォーマットインジケータをさらに含むことを特徴とする請求項１６に記載の記録媒体。
【請求項２１】
前記記録媒体は、二レイヤ光ディスクであり、
前記スペースビットマップは、スペースビットマップが対応するレイヤを示すレイヤインジケータをさらに含むことを特徴とする請求項１６に記載の記録媒体。
【請求項２２】
追記型記録媒体をフォーマットする方法であって、
記録媒体の所望の記録モードに関連する入力を受信するステップと、
前記所望の記録モードのインジケータを前記記録媒体の仮欠陥管理領域中の仮定義構造内に記録するステップと、
を備えることを特徴とする方法。
【請求項２３】
前記所望の記録モードは、順次記録モードおよびランダム記録モードのいずれかであることを特徴とする請求項２２に記載の方法。
【請求項２４】
前記記録されたモードインジケータが順次記録モードを示すとき、記録媒体のデータ領域中の連続記録領域に関する情報を提供する順次記録情報を仮欠陥管理領域に記録するステップを備えることを特徴とする請求項２３に記載の方法。
【請求項２５】
前記記録されたモードインジケータがランダム記録モードを示すとき、記録媒体のデータ領域の記録状態に関する情報を提供するスペースビットマップ（ＳＢＭ）を仮欠陥管理領域に記録するステップをさらに備えることを特徴とする請求項２３に記載の方法。
【請求項２６】
追記型記録媒体上に管理情報を記録する方法であって、
前記記録媒体の仮欠陥管理領域の仮定義構造からの記録モードインジケータを再生するステップと、
前記記録モードインジケータに基づいて記録媒体の記録モードを判断するステップと、
前記判断するステップに基づいて、データを格納する記録媒体のデータ領域の使用に関する情報を提供する記録媒体の使用状態情報を仮欠陥管理領域に記録するステップと、
を備えることを特徴とする管理情報の記録方法。
【請求項２７】
前記使用状態情報は、前記判断するステップで再生された記録モードインジケータが順次記録モードを示すと判断するとき、記録媒体のデータ領域の連続記録領域に関する情報を提供する順次記録情報であることを特徴とする請求項２６に記載の方法。
【請求項２８】
前記使用状態情報は、前記判断するステップで再生された記録モードインジケータがランダム記録モードを示すと判断するとき、前記データ領域の記録状態に関する情報を提供するスペースビットマップであることを特徴とする請求項２６に記載の方法。
【請求項２９】
追記型記録媒体上に管理データを記録する方法であって、
仮欠陥管理領域にデータブロックを記録し、前記データブロックは、仮定義構造を含み、前記仮定義構造は、記録媒体の記録モードを示すことを特徴とする方法。
【請求項３０】
追記型記録媒体からデータを再生する方法であって、
仮欠陥管理領域に記録されたデータブロックに基づいて記録媒体上に記録されたデータの一部を再生し、前記データブロックは、仮定義構造を含み、前記仮定義構造は、記録媒体の記録モードを示すことを特徴とする方法。
【請求項３１】
追記型記録媒体上に管理データを記録する装置であって、
記録媒体上にデータを記録する光記録デバイスを駆動するドライブと、
前記ドライブを制御して仮欠陥管理領域に記録媒体の記録モードを示す仮定義構造を含むデータブロックを記録するコントローラーと、
を備えたことを特徴とする装置。
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
記録媒体のデータ領域を管理するためのデータ構造を有する追記型記録媒体であって、
記録媒体の記録モードを示す仮記録媒体状態情報を含むデータブロックを格納する仮欠陥管理領域を備えたことを特徴とする記録媒体。
【請求項２】
前記データブロックは、記録媒体のデータ領域の使用状態情報を含み、前記使用状態情報は、データを格納するデータ領域の使用に関する情報を提供することを特徴とする請求項１に記載の記録媒体。
【請求項３】
前記記録モードは、順次記録とランダム記録のいずれかであることを特徴とする請求項１に記載の記録媒体。
【請求項４】
前記記録モードは、順次記録であり、前記データブロックは、記録媒体のデータ領域中の連続する記録領域に関する情報を提供する順次記録情報を含むことを特徴とする請求項３に記載の記録媒体。
【請求項５】
前記順次記録情報は、ヘッダ、各連続記録領域の情報エントリーおよびターミネーターを含み、前記ヘッダは、順次記録情報として順次記録情報を識別し、各情報エントリーは、関連付けられた連続記録領域に関する情報を提供し、ターミネーターは、順次記録情報の終りを示すことを特徴とする請求項４に記載の記録媒体。
【請求項６】
前記ヘッダは、連続記録領域の数を示すことを特徴とする請求項５に記載の記録媒体。
【請求項７】
前記ヘッダは、記録のためにオープンされている連続記録領域の数を示すことを特徴とする請求項６に記載の記録媒体。
【請求項８】
前記ヘッダ情報は、記録のためにオープンされている連続記録領域の数を示すことを特徴とする請求項５に記載の記録媒体。
【請求項９】
各情報エントリーは、関連付けられた連続記録領域が連続記録領域群のうちの第一の連続記録領域であるかを示すことを特徴とする請求項５に記載の記録媒体。
【請求項１０】
各情報エントリーは、関連付けられた連続記録領域が記録のためにオープンされているかを示すことを特徴とする請求項５に記載の記録媒体。
【請求項１１】
各情報エントリーは、関連付けられた連続記録領域の開始物理セクタ番号を示すことを特徴とする請求項５に記載の記録媒体。
【請求項１２】
各情報エントリーは、関連付けられた連続記録領域の最後の記録アドレスを示すことを特徴とする請求項５に記載の記録媒体。
【請求項１３】
各情報エントリーは、関連付けられた連続記録領域の状態情報を示し、関連付けられた連続記録領域の開始物理セクタ番号を示し、関連付けられた連続記録領域の最後の記録アドレスを示すことを特徴とする請求項５に記載の記録媒体。
【請求項１４】
前記状態は、関連付けられた連続記録領域が連続記録領域群のうちの開始であるかを示すことを特徴とする請求項１３に記載の記録媒体。
【請求項１５】
前記記録モードは、ランダム記録であり、前記データブロックは、記録媒体のデータ領域の記録状態を示すスペースビットマップ（ＳＢＭ）を含むことを特徴とする請求項３に記載の記録媒体。
【請求項１６】
前記スペースビットマップは、スペースビットマップデータ、スペースビットマップデータを指すデータポインタおよびスペースビットマップデータの長さを示す長さインジケータを含むことを特徴とする請求項１５に記載の記録媒体。
【請求項１７】
前記データポインタは、スペースビットマップデータの第一の物理セクタ番号を示すことを特徴とする請求項１６に記載の記録媒体。
【請求項１８】
前記スペースビットマップデータは、データ領域の各記録単位に関連付けられたインジケータを含み、前記状態インジケータは、データが前記関連付けられた記録単位で記録されるかを示すことを特徴とする請求項１６に記載の記録媒体。
【請求項１９】
前記記録単位は、クラスタであることを特徴とする請求項１８に記載の記録媒体。
【請求項２０】
前記スペースビットマップは、スペースビットマップのフォーマットを示すフォーマットインジケータをさらに含むことを特徴とする請求項１６に記載の記録媒体。
【請求項２１】
前記記録媒体は、二レイヤ光ディスクであり、
前記スペースビットマップは、スペースビットマップが対応するレイヤを示すレイヤインジケータをさらに含むことを特徴とする請求項１６に記載の記録媒体。
【請求項２２】
追記型記録媒体をフォーマットする方法であって、
記録媒体の所望の記録モードに関連する入力を受信するステップと、
前記所望の記録モードのインジケータを前記記録媒体の仮欠陥管理領域中の仮記録媒体状態情報内に記録するステップと、
を備えることを特徴とする方法。
【請求項２３】
前記所望の記録モードは、順次記録モードおよびランダム記録モードのいずれかであることを特徴とする請求項２２に記載の方法。
【請求項２４】
前記記録されたモードインジケータが順次記録モードを示すとき、記録媒体のデータ領域中の連続記録領域に関する情報を提供する順次記録情報を仮欠陥管理領域に記録するステップを備えることを特徴とする請求項２３に記載の方法。
【請求項２５】
前記記録されたモードインジケータがランダム記録モードを示すとき、記録媒体のデータ領域の記録状態に関する情報を提供するスペースビットマップ（ＳＢＭ）を仮欠陥管理領域に記録するステップをさらに備えることを特徴とする請求項２３に記載の方法。
【請求項２６】
追記型記録媒体上に管理情報を記録する方法であって、
前記記録媒体の仮欠陥管理領域の仮記録媒体状態情報からの記録モードインジケータを再生するステップと、
前記記録モードインジケータに基づいて記録媒体の記録モードを判断するステップと、
前記判断するステップに基づいて、データを格納する記録媒体のデータ領域の使用に関する情報を提供する記録媒体の使用状態情報を仮欠陥管理領域に記録するステップと、
を備えることを特徴とする管理情報の記録方法。
【請求項２７】
前記使用状態情報は、前記判断するステップで再生された記録モードインジケータが順次記録モードを示すと判断するとき、記録媒体のデータ領域の連続記録領域に関する情報を提供する順次記録情報であることを特徴とする請求項２６に記載の方法。
【請求項２８】
前記使用状態情報は、前記判断するステップで再生された記録モードインジケータがランダム記録モードを示すと判断するとき、前記データ領域の記録状態に関する情報を提供するスペースビットマップであることを特徴とする請求項２６に記載の方法。
【請求項２９】
追記型記録媒体上に管理データを記録する方法であって、
仮欠陥管理領域にデータブロックを記録し、前記データブロックは、仮記録媒体状態情報を含み、前記仮記録媒体状態情報は、記録媒体の記録モードを示すことを特徴とする方法。
【請求項３０】
追記型記録媒体からデータを再生する方法であって、
仮欠陥管理領域に記録されたデータブロックに基づいて記録媒体上に記録されたデータの一部を再生し、前記データブロックは、仮記録媒体状態情報を含み、前記仮記録媒体状態情報は、記録媒体の記録モードを示すことを特徴とする方法。
【請求項３１】
追記型記録媒体上に管理データを記録する装置であって、
記録媒体上にデータを記録する光記録デバイスを駆動するドライブと、
前記ドライブを制御して仮欠陥管理領域に記録媒体の記録モードを示す仮記録媒体状態情報を含むデータブロックを記録するコントローラーと、
を備えたことを特徴とする装置。
【国際調査報告】
2007528563.tif 000015
2007528563.tif 000016